(57)【要約】【課題】パネルユニットの４つの面の下端部を床面上に接地するように構成することで、簡単な作業でパネルユニットを安定した立設状態に保持できるとともに、外観的にも優れた展示用パネル装置を提供すること。【解決手段】本発明の展示パネル装置１は、表裏に配される第１及び第２の展示面２Ａ、２Ｂと、両側側面２Ｃ、２Ｄとを有するパネルユニット２と、パネルユニット２の下端部に配置され、パネルユニット２とともに床面２０上を移動自在なベースユニット４と、パネルユニット２とベースユニット４との間に設けられ、パネルユニット２の第１及び第２の展示面２Ａ、２Ｂと両側側面２Ｃ、２Ｄとの各下端部を床面２０上に接地するように、前記パネルユニット２を、前記ベースユニット４に対し鉛直方向に相対的に昇降させる昇降機構６と、を有している。【選択図】図２
2012112117.tif 000002
【特許請求の範囲】
【請求項１】
表裏に配される第１及び第２の展示面と、両側側面とを有するパネルユニットと、
前記パネルユニットの下端部に配置され、前記パネルユニットとともに床面上を移動自在なベースユニットと、
前記パネルユニットと前記ベースユニットの間に設けられ、前記パネルユニットの前記第１及び第２の展示面と前記両側側面との各下端部を前記床面上に接地するように、前記パネルユニットを、前記ベースユニットに対し鉛直方向に相対的に昇降させる昇降機構と、
を具備したことを特徴とする展示パネル装置。
【請求項２】
前記第１及び第２の展示面と前記両側側面は、前記パネルユニットのフレーム本体に夫々取り付けられたもので、前記両側側面の少なくとも一方が前記フレーム本体に対して着脱自在であることを特徴とする請求項１に記載の展示パネル装置。
【請求項３】
前記昇降機構は、前記ベースユニットに対して鉛直方向における前記パネルユニットの移動をガイドするためのガイド部を有していることを特徴とする請求項１又は請求項２に記載の展示パネル装置。
【請求項４】
前記パネルユニットの前記フレーム本体は、前記第１及び第２の展示面と前記両側側面との各下端部が床面上に接地した状態で前記フレーム本体を床面に固定するための固定部を有していることを特徴とする請求項２に記載の展示パネル装置。
【請求項５】
前記パネルユニットの前記フレーム本体は、床面に対する高さを調整するためのアジャスタを有している請求項４に記載の展示パネル装置。
【請求項６】
前記パネルユニットは、前記パネルユニットの鉛直方向において複数分割して固定された複数のユニットを有し、これら複数のユニットの内、少なくとも最上段のユニットを含む複数のユニットを着脱自在に構成したことを特徴とする請求項１から請求項５の何れか１項に記載の展示パネル装置。
【発明の詳細な説明】
【技術分野】
【０００１】
本発明は、美術館、博物館、ホール、展示室等で自由に空間を間仕切り、絵画等各種の展示に用いられる展示パネル装置に関する。
【背景技術】
【０００２】
一般に、絵画等各種展示のために、複数の展示パネルを用いて室内空間を仕切るには、予め床面と天井に取り付けたレールまで展示パネルを運んで順次建て込むか、あるいは、天井に取り付けたガイドレールに吊支しながら移動させて建て込むのが一般的である。
【０００３】
ところが、上述の展示パネルには、車輪等の移動手段がないため、床面及び天井に取り付けたレールまで複数の作業者により運搬しなければならず、長尺で重量のある場合、大きな労力を必要とする。
【０００４】
また、レールやガイドレールを予め床や天井に取り付けておく必要があるため、パネルの建て込み位置が決められてしまい、既存の室内の任意の場所までパネルを運んで簡単に仕切ったり、撤去できないという問題がある。
【０００５】
そこで、このような問題に鑑みて、展示パネル等のパネルユニットの下端部に、車輪等の移動手段を設けることで、室内の任意の場所に簡単に移動させるようにした移動式パネル装置が提案されている。
【０００６】
このような移動式パネル装置としては、例えば、特許文献１に示すように、パネルユニットの下端部に、床面上を移動自在とする移動手段を設けるとともに、押圧部材を昇降自在に設け、前記押圧部材を前記移動手段の少なくとも下端よりも下方に突出させることにより、前記パネルユニットを天井と床面との間で圧接し、立設状態に保持できるようにした移動式パネル装置がある。
【先行技術文献】
【特許文献】
【０００７】
【特許文献１】特開２００２−１３８６１５号公報
【発明の概要】
【発明が解決しようとする課題】
【０００８】
しかしながら、従来の移動式パネル装置では、押圧部材を構成するフィレットの弾性部材が床面に当接すると同時に、パネルユニットの上端の弾性体が天井と圧接することにより、パネルユニットを床面と天井とにより保持しているので、床面の接地箇所が少なく不安定であり、特に、天井が高い展示室である場合には、フィレットを下方に突出させてもパネルユニットの上端の弾性体が天井に届かず、立設状態を保持することができないといった問題がある。
【０００９】
また、従来の移動式パネル装置は、立設状態において、車輪等の移動手段がフィレットによって覆い隠されて、外部より見えなくなるが、フィレットがパネルユニットの下方に露出するため、外観的に好ましくない。
【００１０】
そこで、本発明は上記事情に鑑みてなされたもので、パネルユニットの４つの面の下端部を床面上に接地するように構成することで、簡単な作業でパネルユニットを安定した立設状態に保持できるとともに、外観的にも優れた自立式の展示用パネル装置を提供することを目的とする。
【課題を解決するための手段】
【００１１】
上記目的を達成するために本発明による展示パネル装置は、表裏に配される第１及び第２の展示面と、両側側面とを有するパネルユニットと、前記パネルユニットの下端部に配置され、前記パネルユニットとともに床面上を移動自在なベースユニットと、前記パネルユニットと前記ベースユニットの間に設けられ、前記パネルユニットの前記第１及び第２の展示面と前記両側側面との各下端部を前記床面上に接地するように、前記パネルユニットを、前記ベースユニットに対し鉛直方向に相対的に昇降させる昇降機構と、を具備している。
【発明の効果】
【００１２】
本発明によれば、パネルユニットの４つの面の下端部を床面上に接地するように構成することで、簡単な作業でパネルユニットを安定した立設状態に保持できるとともに、外観的にも優れた自立式の展示用パネル装置を提供することが可能である。
【図面の簡単な説明】
【００１３】
【図１】本発明の実施の一形態に係る展示パネル装置の全体構成を示す斜視図。
【図２】本発明の実施の一形態に係るパネルユニットの展示面の下端部を、床面上に接地した状態と床面上から離間させた状態とを説明するための、展示パネル装置の正面図。
【図３】本発明の実施の一形態に係るパネルユニットの展示面の下端部を、床面上に接地した状態と床面上から離間させた状態とを説明するための、展示パネル装置の側面図。
【図４】図１の展示パネル装置の昇降機構の構成を説明するための斜視図。
【図５】図１の展示パネル装置の最上段のユニットを取り外した状態を示す斜視図。
【図６】図５における最上段のユニットの構成を示す斜視図。
【発明を実施するための最良の形態】
【００１４】
以下、図面を参照して本発明の実施の形態を説明する。
【００１５】
図１から図３に示すように、本実施の形態の展示パネル装置１は、パネルユニット２と、フレーム本体３と、ベースユニット４と、移動部材５と、昇降機構６と、を有して構成される。
【００１６】
パネルユニット２は、表裏に配される第１及び第２の展示面２Ａ、２Ｂと、両側側面２Ｃ、２Ｄと、を有して構成される。また、パネルユニット２は、鉛直方向に順次重ねて取り付けられる３つのユニット２ａ、２ｂ、２ｃを有して構成される。
【００１７】
また、３つのユニット２ａ、２ｂ、２ｃの内、最上段のユニット２ｃは、次段のユニット２ｂに対して着脱自在に構成される。すなわち、最上段のユニット２ｃを取り外すことにより、展示室の入口の高さが低くても容易に展示パネル装置１を搬入することができる。
【００１８】
ユニット２ａ、２ｂ、２ｃは、それぞれフレーム本体３ａ、３ｂ、３ｃを有している。
【００１９】
そして、パネルユニット２の第１及び第２の展示面２Ａ、２Ｂと両側側面２Ｃ、２Ｄは、ユニット２ａ、２ｂ、２ｃのフレーム本体３ａ、３ｂ、３ｃに夫々取り付けられたもので、化粧パネル部材１ａ〜１ｌによって構成される。この化粧パネル部材１ａ〜１ｌは、例えば、ラワン合板上の表面にガラスクロスやレザークロス等のクロス部材を貼り付けて構成されたものである。
【００２０】
ユニット２ａは、各化粧パネル部材１ａ〜１ｄによって四つの外周面を形成しており、ユニット２ｂは、各化粧パネル部材１ｅ〜１ｈによって四つの外周面を形成している。さらに、ユニット２ｃは、各化粧パネル部材１ｉ〜１ｌによって四つの外周面を形成している。
【００２１】
したがって、パネルユニット２の第１の展示面２Ａは、化粧パネル部材１ａ、１ｅ、１ｉで構成され、第２の展示面２Ｂは、化粧パネル部材１ｂ、１ｆ、１ｊで構成される。また、側面２Ｃは、化粧パネル部材１ｃ、１ｇ、１ｋで構成され、他の側面２Ｄは、化粧パネル部材１ｄ、１ｈ、１ｌで構成される。
【００２２】
なお、ユニット２ａ及びユニット２ｃの両側側面２Ｃ、２Ｄは、それぞれのフレーム本体３ａに対して着脱自在に取り付けられている。
【００２３】
また、最上段のユニット２ｃの第１及び第２の展示面２Ａ、２Ｂ側の上端縁部には、各種フック（図示せず）を移動自在に装着できるピクチャーレール１Ａが設けられている。
【００２４】
なお、本実施の形態では、３つのユニット２ａ、２ｂ、２ｃを用いてパネルユニット２を構成したが、これに限定されることはなく、１つのユニット、あるいは２つ以上のユニットを用いて構成しても良い。例えば、４つ以上のユニットを用いてパネルユニット２を構成した場合には、これら４つ以上のユニットの内、少なくとも最上段のユニットを含む複数のユニットが着脱自在に構成すれば良い。これにより、展示室の入口の高さに合わせて最上段のユニット、或いは次の段のユニットを取り外すことにより、展示室の入口からの搬入が可能である。
【００２５】
ベースユニット４は、図２及び図４に示すように、パネルユニット２の下端部に配置されたユニット部材である。このベースユニット４の床面側には、パネルユニット２とともに床面２０上を移動自在とするためのキャスターなどの移動部材５が設けられている。この構成により、展示パネル装置１を、移動部材５によって、室内の任意の場所に簡単に移動させることができる。
【００２６】
また、展示パネル装置１の内部において、図２及び図３に示すように、パネルユニット２の二段目のユニット２ｂの下部には、作業者が最上段のユニット２ｃを取り外す際に展示パネル装置１内部に入り作業する際に必要な３つの踏み台２１が設けられている。これら３つの踏み台２１は、ユニット２ｂのフレーム本体３ｂに固定されている。
【００２７】
また、これら３つの踏み台２１の内、例えば中央に位置する踏み台２１と、最下段のユニット２ａのフレーム本体３ａの下部との間には、作業者が二段目のユニット２ｂに設けられた踏み台２１まで移動するのに必要な、例えば２つのはしご２２が設けられている。
【００２８】
これら２つのはしご２２の幅は、パネルユニット２の両側側面２Ｃ、２Ｄの幅よりも小さく形成されており、それぞれ異なる展示面側のユニット２ａに配置されるとともに、下端部がユニット２ａのフレーム本体３ａにそれぞれ固定されている。
【００２９】
次に、展示パネル装置１の昇降機構６の構成について図２〜４を参照しながら説明する。
【００３０】
なお、図２の正面図において、展示パネル装置１の鉛直方向に沿った中心線Ｌの左側は、パネルユニット２をベースユニット４に対して上げた状態を示し、中心線Ｌの右側は、パネルユニット２をベースユニット４に対して下げた状態を示している。また、図３の側面図において、展示パネル装置１の鉛直方向に沿った中心線Ｌ１の左側は、パネルユニット２をベースユニット４に対して上げた状態を示し、中心線Ｌ１の右側は、パネルユニット２をベースユニット４に対して下げた状態を示している。
【００３１】
昇降機構６は、パネルユニット２とベースユニット４の間に設けられ、パネルユニット２の第１及び第２の展示面２Ａ、２Ｂと両側側面２Ｃ、２Ｄの各下端部を床面２０上に接地するように、パネルユニット２を、ベースユニット４に対し鉛直方向に相対的に昇降させる。
【００３２】
具体的には、昇降機構６は、図２に示すように、ユニット２ａ内の一方の側面側に配置された第１の昇降機構部６Ａと、ユニット２ａ内の他方の側面側に配置された第２の昇降機構部６Ｂとを有している。
【００３３】
第１の昇降機構部６Ａと第２の昇降機構部６Ｂとは、一本の回転操作軸８によってパネルユニット２の昇降動作を連動して行うように構成されている。なお、一本の長尺な回転操作軸８は、第１の昇降機構部側の第１の回転操作軸部８Ａと、第２の昇降機構部側の第２の回転操作軸部８Ｂとを有している。
【００３４】
第１の昇降機構部６Ａは、図４に示すように、フレーム本体３ａの内側に、鉛直方向に対して直行する方向に固定された枠状の昇降ユニット７と、この昇降ユニット７の水平方向に回転自在に軸支された回転操作軸８の第１の回転操作軸部８Ａと、この第１の回転操作軸部８Ａの回転に連動して水平方向に移動可能なスライダ軸９と、このスライダ軸９の両端側に一端が回動自在に取り付けられ、他端がフレーム本体３ａに回動自在に取り付けられた一対の駆動リンク部１０、１０と、を有して構成される。
【００３５】
昇降ユニット７の両側側面には、水平方向にガイドレール７Ｃ、７Ｃが設けられている。このガイドレール７Ｃ、７Ｃには、スライダ軸９の両側端部に回転自在に設けられたローラ９Ｂ、９Ｂが移動自在に保持されており、スライダ軸９の水平方向の移動をガイドする。
【００３６】
また、昇降ユニット７の前側（両側側面側）には、第１の回転操作軸部８Ａを回転可能に軸支するための貫通孔７ａを有する第１の軸支部７Ａが設けられている。また、この第１の軸支部７Ａの貫通孔７ａに位置に対向するように、昇降ユニット７の後側（パネルユニット２中央側）についても、略同様に、第１の回転操作軸部８Ａを回転可能に軸支するための貫通孔７ｂを有する第２の軸支部７Ｂが設けられている。
【００３７】
スライダ軸９は、第１及び第２の軸支部７Ａ、７Ｂの位置に対向する位置に、第１の回転操作軸部８Ａのネジ部８ａに螺合するネジ穴９Ａを設けて構成される。
【００３８】
一方、フレーム本体３ａの両側側面２Ｃ側に設けられたパネル側フレーム３ａ１には、第１の回転操作軸８Ａを回転可能に軸支する第３の軸支部１１が設けられている。この第３の軸支部１１には、操作穴１１ａが設けられており、この操作穴１１ａには、軸支された第１の回転操作軸８Ａの端部に係入してこの第１の回転操作軸部８Ａを回転操作するハンドル１２の係入部１２Ａが係入される。
【００３９】
このように、回転操作軸８の第１の回転操作軸部８Ａは、第３の軸支部１１の操作穴１１ａ、第１の軸支部７Ａの貫通孔７ａを介して挿通され、そして、ネジ部８ａがスライダ軸９のネジ穴９Ａに螺合した状態で、ネジ部８ａのない部分が第２の軸支部７Ｂの貫通孔７ｂに挿通される。この第１の回転操作軸部８Ａは、第２の軸支部７Ｂの貫通孔７ｂを貫通した先には、第２の回転操作軸部８Ｂが配されるようになっている。
【００４０】
第１の回転操作軸部８Ａのネジ部８ａが螺合するスライダ軸９の両側には、上述したように一対の駆動リンク部１０、１０の一端がそれぞれ回動可能に軸支されている。一方、一対の駆動リンク部１０、１０の他端は、ベースユニット４に固定された固定部１３、１３に回動可能に軸支されている。
【００４１】
なお、第２の昇降機構部６Ｂの構成についても、前記第１の昇降機構部６Ａと同様に構成される。ただし、第２の回転操作軸８Ｂのネジ部８ｂと、このネジ部８ｂに螺合するスライダ軸９のネジ穴９Ａとは、前記第１の回転操作軸部８Ａのネジ部８ａとスライダ軸９のネジ穴９Ａとの各ネジ山方向が逆方向に形成される。すなわち、一本の回転操作軸８を、ハンドル１２を用いて、例えば、時計回り方向に回転させることにより、第１及び第２の昇降機構部６Ａ、６Ｂの各スライダ軸９を離間する方向に同時に移動させるためである。勿論、回転操作軸８を逆回転させれば、第１及び第２の昇降機構部６Ａ、６Ｂの各スライダ軸９を向かい合う方向に同時に移動させることができる。
【００４２】
したがって、このような構成の第１及び第２の昇降機構部６Ａ、６Ｂによれば、回転操作軸８の第１の回転操作軸８Ａを、ハンドル１２を用いて、時計回り方向、あるいは反時計回り方向に回転させることで、第１及び第２の回転操作軸８Ａ、８ｂのネジ部８ａ、８ｂと各スライダ軸９のネジ穴９Ａ、９Ｂとの螺合によってこれらスライダ軸９、９を移動させることができる。このとき、これらスライダ軸９、９の移動は、各一対のローラ９Ｂがそれぞれガイドレール７Ｃに沿って水平方向に移動するため、同様に昇降ユニット７の水平方向に移動する。
【００４３】
そして、これらスライダ軸９、９の水平方向の移動に連動して、これらスライダ軸９、９の両側に一端が回動自在に軸支された２つの駆動リンク部１０、１０の傾角が変わるので、その結果、スライダ軸９のローラ９Ｂが保持されるガイドレール７Ｃを有するパネルユニット２を、ベースユニット４に対して鉛直方向に昇降させることができる（図２及び図３参照）。パネルユニット２を下げた場合には、パネルユニット２の第１及び第２の展示面２Ａ、２Ｂと両側側面２Ｃ、２Ｄとの各下端部を、図２及び図３に示すように、床面２０上に接地させることができる。
【００４４】
また、昇降機構６は、ベースユニット４に対して鉛直方向におけるパネルユニット２の移動をガイドするためのガイド部１５をフレーム本体３ａの内側の略四隅に有している。
【００４５】
このガイド部１５は、パネルユニット２（ユニット２ａ）のフレーム本体３ａの内側に固定部１４Ｂにより固定された、円筒状のガイド管１４Ａと、ベースユニット４に固定具１５により固定された、前記ガイド管１４Ａ内に挿通されるガイド筒１５Ａとを有して構成される。
【００４６】
ガイド管１４Ａは、パネルユニット２の鉛直方向に固定され、ガイド筒１５Ａもガイド管１４Ａに合わせて鉛直方向に立設されている。このような構成により、パネルユニット２を、昇降機構６によってベースユニット４に対して確実にかつ円滑に鉛直方向に昇降させることができる。
【００４７】
なお、ガイド管１４Ａとガイド筒１５Ａの接触面には、グリス等の潤滑剤が設けられており、ガイド筒１５Ａの移動がより円滑に行えるようになっている。また、ガイド部１５は、円筒状のガイド管１４Ａとガイド筒１５Ａによって構成したが、円筒状に限定されるものではなく、ガイド管１４Ａとガイド筒１５Ａとを四角状などに構成しても良い。
【００４８】
さらに、本実施の形態では、パネルユニットのフレーム本体３ａは、第１及び第２の展示面２Ａ、２Ｂと両側側面２Ｃ、２Ｄとの各下端部が床面２０上に接地した状態でフレーム本体３ａを床面２０に固定するための固定部１６である固定ボルト１７を有している。
【００４９】
この固定ボルト１７には、固定ナット１７Ａが螺合されており、この固定ボルト１７は、フレーム本体３ａのパネル側フレーム３Ａ１の下部に設けられた固定プレート１６Ａの長穴１６Ｂに挿通される。この長穴１６Ｂは、展示パネル装置１の幅方向に設けられた長穴である。
【００５０】
展示パネル装置１を固定する場合には、固定ボルト１７を固定プレート１６Ａの長穴１６Ｂに挿通し、この固定ボルト１７の位置を長穴１６Ｂ内でスライドして床面上に設けられたネジ穴（図示せず）との位置の調整を行う。そして、この固定ボルト１７の下部に形成されるネジ部を、床面２０上に設けられたネジ穴（図示せず）に螺合した後に、固定ナット１７Ａを回転することにより、固定プレート１６Ａを床面２０側に押し付ける。これにより、展示パネル装置１を床面２０上に固定できる。
【００５１】
また、パネルユニット２のフレーム本体３ａは、床面２０に対する高さを調整するためのアジャスタ１９を四隅に設けている。
【００５２】
このアジャスタ１９は、パネル側フレーム３Ａ１の下部に固定された固定板１８のネジ穴１９ａに螺合しており、床面２０と設置する設置部１９ａを回転することで、フレーム本体３ａの、床面２０に対する高さを調節することができる。反対側のフレーム本体３ａのパネル側フレーム（図示せず）にも、同様に、２つのアジャスタが設けられている。
【００５３】
次に、本実施の形態の展示パネル装置の作用について図２〜図４を用いて説明する。
【００５４】
いま、作業者が、図１に示す展示パネル装置１を、展示室の所望の位置に移動させるものとする。この場合、予め昇降装置６によってパネルユニット２を、ベースユニット４に対して上方向に上げた状態（図２及び図３の左側に示す状態）にしておく。
【００５５】
展示パネル装置１の下部にはキャスターなどの移動部材５が設けられているので、作業者は、展示パネル装置１を室内の所望位置に簡単に移動させて配置させることができる。
【００５６】
その後、展示パネル装置１を所望位置に配置後、設置するものとする。このとき、作業者は、最下端のユニット２ａの両側側面２Ｄ、２Ｃの化粧パネル部材１ｃ、１ｄを取り外す。すると、図４に示すように、ユニット２ａの側面には、第３の軸支部１１が露出する。
【００５７】
そして、作業者は、ハンドル１２の係入部１２Ａを、第３の軸支部１１の操作穴１１ａに挿通して、第１の回転操作軸８Ａの端部に係入させ、ハンドル１２を、例えば、反時計回り方向に回転させる。
【００５８】
すると、第１の回転操作軸部８Ａが反時計回り方向に回転することにより、昇降機構６の第１の昇降機構部６Ａにおいて、第１の回転操作軸部８Ａのネジ部８ａと螺合しているスライダ軸９が、昇降ユニット７の水平方向、すなわち、図４中の奥行き方向に移動する。
【００５９】
すると、このスライダ軸９の奥行き方向の移動に伴い、このスライダ軸９の両側に軸支された一対の駆動リンク部１０、１０の各一端が同方向に移動する。すなわち、スライダ軸９の各他端がローラ９Ｂ、ガイドレール７Ｃ、駆動リンク部１０、１０を介してそれぞれベースユニットの固定部１３、１３に連結されているため、２つの駆動リンク部１０、１０の傾角が小さくなる。
【００６０】
その結果、スライダ軸９の両端のローラ９Ｂが係合されるガイドレール７Ｃを固定するパネルユニット２を、ベースユニット４に対して鉛直方向に相対的に下げて、パネルユニット２の第１及び第２の展示面２Ａ、２Ｂと側面２Ｃとの各下端部、すなわち、各化粧パネル部材１ａ〜１ｃの下端部を、図２及び図３の右側に示すように、床面２０上に接地させることができる。
【００６１】
このとき、昇降機構６の第２の昇降機構６Ｂについても、前記第１の昇降機構部６Ａと同様に動作することで、反対側のパネルユニット２の第１及び第２の展示面２Ａ、２Ｂと側面２Ｄとの各下端部、すなわち、各化粧パネル部材１ａ、１ｂ、１ｄの下部を、図２及び図３の右側に示すように、同時に床面２０上に接地させることができる。
【００６２】
すなわち、本実施の形態の展示パネル装置１は、パネルユニット２の第１及び第２の展示面２Ａ、２Ｂと両側側面２Ｃ、２Ｄとの各下端部（化粧パネル部材１ａ〜１ｄの下端部）を床面２０上に接地、すなわち、パネルユニット２の下端部の４辺を床面２０上に接地しているので、安定した立設状態を確保できる。
【００６３】
また、展示パネル装置１は、立設時において、パネルユニット２の第１及び第２の展示面２Ａ、２Ｂと両側側面２Ｃ、２Ｄが床面２０上に接地しているだけなので、外観的にも良好である。
【００６４】
また、作業者は、パネルユニット２の第１及び第２の展示面２Ａ、２Ｂと両側側面２Ｃ、２Ｄとの各下端部を床面２０上に接地後、固定ボルト１７の下部に形成されるネジ部を、床面２０上に設けられたネジ穴（図示せず）に螺合した後、固定ナット１７Ａを回転することにより、固定プレート１７を床面２０側に押し付けることでこのパネルユニット２を固定する。これにより、展示パネル装置１を床面２０上に確実に固定できる。
【００６５】
また、展示パネル装置１の立設後、パネルユニット２の第１及び第２の展示面２Ａ、２Ｂと両側側面２Ｃ、２Ｄのいずれかの下端部と床面２０との間に隙間が生じる場合等には、作業者は、適宜、該当するアジャスタ１９の設置部１９ａを回転することで、フレーム本体３ａの、床面２０に対する高さを調節すればよい。これにより、展示パネル装置１の立設状態の安定化を図ることができる。
【００６６】
その後、作業者は、外した化粧パネル部材１ｃ、１ｄを、最下端のユニット２ａの両側面側の固定フレーム３ａに取り付ける。これにより、展示パネル装置１の設置作業を完了する。
【００６７】
なお、展示パネル装置１の撤去作業を行う場合には、作業者は、上記設置作業と逆の手順を行えば良い。すなわち、作業者は、ハンドル１２を、例えば、時計回り方向に回転させることにより、第１及び第２の昇降機構部６Ａ、６Ｂにおいて、回転操作軸８の回転に伴い、スライダ軸９、９を互いに離間する方向に、すなわち、図４中の手前方向に移動させる。
【００６８】
これにより、２つの駆動リンク部１０、１０の傾角が大きくなることで、その結果、スライダ軸９のローラ９Ｂが係合されるガイドレール７Ｃを固定するパネルユニット２を、ベースユニット４に対して鉛直方向に上げて、パネルユニット２の第１及び第２の展示面２Ａ、２Ｂと側面２Ｃとの各下端部（化粧パネル部材１ａ〜１ｄの下端部）を、図２及び図３の左側に示すように、床面２０上から離間させることができる。また、作業者は、移動部材５により容易に撤去場所へと展示パネル装置１を移動させることができる。
【００６９】
また、本実施の形態の展示パネル装置１を、高さが低い搬入口のある室内に移動させる場合には、最上段のユニット２ｃを予め取り外し、取り外した状態の展示パネル装置１を、入口を介して所望する位置に移動した後に、再度組み立てて設置することが可能である。
【００７０】
図５に図１の展示パネル装置の最上段のユニットを取り外した状態を示す。すなわち、図５に示すように、最上段のユニット２ｃを取り外すことにより、高さが低い搬入口であっても、容易に移動させて、室内に搬入することができる。
【００７１】
その後、作業者は、室内に設けられた例えば、クレーン等を用いて、ワイヤ等によって最上段のユニット２ｃを吊し、図５に示す二段目のユニット２ｂのフレーム面２３上に設置する。
【００７２】
この場合、最上段のユニット２ｃの上部には、複数のフック２４が設けられており、これらのフック２４にワイヤ等を引っ掛けた状態で、クレーン等に吊すことができるようになっている。
【００７３】
その後、作業者は、展示パネル装置１内に入り、図２及び図３に示すはしご２２を用いて上がり、踏み台２１を利用して、最上段のユニット２ｃと次段ユニット２ｂとの固定作業を行う。そして、取り外していた化粧パネル部材１ｋ、１ｌを、ユニット２ｃの両側側面側の固定フレーム３ａに取り付ける。以降の設置作業については、前記同様の手順で行えば良い。
【００７４】
これにより、高さが低い搬入口のある室内であっても、搬入することができるので、展示パネル装置１の使用範囲を拡大することができる。
【００７５】
したがって、本実施の形態によれば、パネルユニットの４つの面の下端部を床面上に接地するように構成することで、簡単な作業でパネルユニットを安定した立設状態に保持できるとともに、外観的にも優れた展示用パネル装置を提供することができる。
【００７６】
本発明は、上述した実施の形態及び変形例に限定されるものではなく、本発明の要旨を変えない範囲において、種々の変更、改変等が可能である。
【符号の説明】
【００７７】
１…展示パネル装置、
１Ａ…ピクチャーレール、
１ａ〜１ｌ…化粧パネル部材、
２…パネルユニット、
２Ａ…第１の展示面、
２Ｂ…第２の展示面、
２Ｃ、２Ｄ…両側側面、
２ａ〜２ｃ…ユニット、
３ａ〜２ｃ…フレーム本体、
３Ａ１…パネル側フレーム、
４…ベースユニット、
５…移動部材、
６…昇降機構、
６Ａ…第１の昇降機構部、
６Ｂ…第２の昇降機構部、
７…昇降ユニット、
８…回転操作軸、
８Ａ…第１の回転操作軸部、
８Ｂ…第２の回転操作軸部、
８ａ、８ｂ…ネジ部、
９…スライダ軸、
９Ａ…ネジ穴、
９Ｂ…ローラ、
１０…駆動リンク部、
１２…ハンドル、
１４…ガイド部、
１７…固定ボルト、
１９…アジャスタ、
２０…床面、
Ｌ１、Ｌ２…中心線。
【図１】
2012112117.tif 000003
【図２】
2012112117.tif 000004
【図３】
2012112117.tif 000005
【図４】
2012112117.tif 000006
【図５】
2012112117.tif 000007
【図６】
2012112117.tif 000008